(57)【要約】【課題】本発明は、コンテナタイプのサーバ装置に関するものであり、隣接するサーバ装置の冷却効果の低下を抑制することを目的とするものである。【解決手段】そしてこの目的を達成するために本発明は、管理スペース１と、この管理スペース１に配置された複数のサーバ室２とを備え、前記各サーバ２室内に、複数のサーバを配置するとともに、このサーバ室２には、熱交換器７を設け、この熱交換器７は各サーバ室２内空気の循環をする第一風路７ａと、この第一風路７ａとは非通気状態となった第二の風路７ｂとを有し、これらの第一、第二の風路７ａ、７ｂを熱交換状態に結合するとともに、前記第二の風路７ｂには、前記サーバ室２外の空気を流入させ、この第二の風路７ｂ通過後の空気は、ダクト１０を介して前記サーバ室２外上へと放出する構成とした。【選択図】図２
2009230329.tif 000002
【特許請求の範囲】
【請求項１】
管理スペースと、この管理スペースに配置された複数のサーバ室とを備え、前記各サーバ室内に、複数のサーバを配置するとともに、このサーバ室には、熱交換器を設け、この熱交換器は各サーバ室内空気の循環をする第一風路と、この第一風路とは非通気状態となった第二の風路とを有し、これらの第一、第二の風路を熱交換状態に結合するとともに、前記第二の風路には、前記サーバ室外の空気を流入させ、この第二の風路通過後の空気は、ダクトを介して前記サーバ室外上へと放出する構成としたサーバ装置。
【請求項２】
各サーバ室のダクトを連結した請求項１に記載のサーバ装置。
【請求項３】
管理スペースは、置台にて構成し、この置台には溝を形成し、この溝を跨いで、サーバ室を置台上に設置した請求項１、または２に記載のサーバ装置。
【請求項４】
置台の溝内には冷却水を流す構成とした請求項３に記載のサーバ装置。
【発明の詳細な説明】
【技術分野】
【０００１】
本発明は、サーバ装置に関するものである。
【背景技術】
【０００２】
サーバ装置の一般的な構成は、管理室内に、サーバと冷却装置を設けたものとなっている。
【０００３】
すなわち、サーバはその演算スピードが向上すればするほど、また小型化が進めばすすむほど、高温化するので、その動作保証を図るため、上述のごとく管理室内に、冷却装置も設けている（なお、これに類似する先行文献としては、たとえば下記特許文献１がある）。
【特許文献１】特開昭６３−２９８５１３号公報
【発明の開示】
【発明が解決しようとする課題】
【０００４】
近年ますますＩＴ化が進展し、これにともない前記管理室内には、複数のサーバが配置されることとなっているが、必要とするサーバが増えすぎ、前記管理室内に収納できない状態ともなっている。
【０００５】
そこで、近年コンテナタイプのサーバ装置が提案されている。
【０００６】
すなわち、コンテナタイプのサーバ室を用意し、このサーバ室内に複数のサーバを収納させ、その状態でサーバ室を管理スペースに配置するようにしている。
【０００７】
しかしこのようなコンテナタイプのものでも、管理スペースに、複数のサーバ室が隣接状態で配置されると、前記冷却能力の低下が問題となる。
【０００８】
具体的には、複数のサーバ室が隣接状態で配置されると、サーバ室冷却後の温風が隣接するサーバ室近傍に排出されるので、これによって隣接するサーバ室の冷却効果が低下するのであった。
【０００９】
そこで本発明は、隣接するサーバ室の冷却効果が低下するのを抑制することを目的とするものである。
【課題を解決するための手段】
【００１０】
そしてこの目的を達成するために本発明は、管理スペースと、この管理スペースに配置された複数のサーバ室とを備え、前記各サーバ室内に、複数のサーバを配置するとともに、このサーバ室には、熱交換器を設け、この熱交換器は各サーバ室内空気の循環をする第一風路と、この第一風路とは非通気状態となった第二の風路とを有し、これらの第一、第二の風路を熱交換状態に結合するとともに、前記第二の風路には、前記サーバ室外の空気を流入させ、この第二の風路通過後の空気は、ダクトを介して前記サーバ室外上へと放出する構成とし、これにより所期の目的を達成するものである。
【発明の効果】
【００１１】
以上のごとく本発明は、管理スペースと、この管理スペースに配置された複数のサーバ室とを備え、前記各サーバ室内に、複数のサーバを配置するとともに、このサーバ室には、熱交換器を設け、この熱交換器は各サーバ室内空気の循環をする第一風路と、この第一風路とは非通気状態となった第二の風路とを有し、これらの第一、第二の風路を熱交換状態に結合するとともに、前記第二の風路には、前記サーバ室外の空気を流入させ、この第二の風路通過後の空気は、ダクトを介して前記サーバ室外上へと放出する構成としたものであるので、隣接するサーバ室の冷却効果が低下するのを抑制することができる。
【００１２】
すなわち、各サーバ室冷却後の温風はダクトを介して各サーバ室上へと放出されるので、隣接するサーバ室の近傍に留まることは無く、その結果として隣接するサーバ室の冷却効果が低下するのを抑制することができるのである。
【発明を実施するための最良の形態】
【００１３】
以下本発明の一実施形態を、添付図面を用いて説明する。
【００１４】
図１に示すごとく本実施形態のサーバ装置は、管理スペース１と、この管理スペース１に配置されたコンテナ状の複数のサーバ室２とを備えている。
【００１５】
管理スペース１は、横長形状の置台３にて構成しており、この置台３には溝４を形成し、この溝４を跨いで、前記サーバ室２を置台３上に設置している。
【００１６】
また、置台３の溝４内には冷却水５が循環されており、この冷却水５の水面とサーバ室２の下面との間には、通気空間６が形成されている。
【００１７】
前記各サーバ室２は一側面が開口した箱状（コンテナ状）となっており、各サーバ室２内に、複数のサーバ（図示せず）を配置するとともに、各サーバ室２には、熱交換器７を設けている。
【００１８】
熱交換器７は、ファン８により各サーバ室２内空気の循環をする第一風路７ａと、この第一風路７ａとは非通気状態となった第二の風路７ｂとを有し、これらの第一、第二の風路７ａ、７ｂを熱交換状態に結合している。また、前記第二の風路７ｂには、ファン９により、前記溝４内のサーバ室外空気を流入させ、この第二の風路７ｂ通過後の空気は、ダクト１０を介してサーバ室２外上へと放出する構成としている。
【００１９】
上記構成とすれば、熱交換器７によりサーバ室２内空気と、溝４内のサーバ室２外空気が熱交換されるので、サーバ室２内のサーバは十分冷却されることとなる。
【００２０】
またこの熱交換により温度上昇した室外空気はダクト１０の煙突効果によりスムーズに上昇し、ダクト１０からの排出後も上昇し、その結果として、隣接するサーバ室２近傍に滞留することは無く、各サーバ室２の冷却効果が低下するのを抑制することができる。
【００２１】
また室外空気はダクト１０の煙突効果を利用して上昇させるので、ファン９の能力を小さくすることも出来、その結果として電力消費を抑制することもできる。
【００２２】
また、本実施形態では、隣接するサーバ室２の冷却効果低下を抑制することができるので、図１のごとくサーバ室２を置台３上に密集配置することも出来、スペースの有効活用も図れるものとなる。
【００２３】
さらに、このように密集配置した結果、排気音が気になるときには、図２のごとく複数のダクト１０を連結し、排気音が気にならない部分まで延長することも出来る。
【００２４】
またこの場合もダクト１０の煙突効果があるので、通気抵抗の増加をあまり気にすることもない。
【産業上の利用可能性】
【００２５】
以上のごとく本発明は、管理スペースと、この管理スペースに配置された複数のサーバ室とを備え、前記各サーバ室内に、複数のサーバを配置するとともに、このサーバ室には、熱交換器を設け、この熱交換器は各サーバ室内空気の循環をする第一風路と、この第一風路とは非通気状態となった第二の風路とを有し、これらの第一、第二の風路を熱交換状態に結合するとともに、前記第二の風路には、前記サーバ室外の空気を流入させ、この第二の風路通過後の空気は、ダクトを介して前記サーバ室外上へと放出する構成としたものであるので、隣接するサーバ室の冷却効果が低下するのを抑制することができる。
【００２６】
すなわち、各サーバ室冷却後の温風はダクトを介して各サーバ室上へと放出されるので、隣接するサーバ室の近傍に留まることは無く、その結果として隣接するサーバ室の冷却効果が低下するのを抑制することができるのである。
【００２７】
したがって、スペースの有効活用の観点からも、活用が期待されるものとなる。
【図面の簡単な説明】
【００２８】
【図１】本発明の一実施形態の斜視図
【図２】本発明の一実施形態の断面図
【符号の説明】
【００２９】
１    管理スペース
２    サーバ室
３    置台
４    溝
５    冷却水
６    通気空間
７    熱交換器
７ａ  第一風路
７ｂ  第二の風路
８    ファン
９    ファン
１０  ダクト
【図１】
2009230329.tif 000003
【図２】
2009230329.tif 000004